(57)【要約】本発明は、壁面用にも卓上用にも適用可能であるようにその構造が改良された卓上・壁掛け兼用構造体に関するものである。本発明によると、使用者の便宜に従い、壁面に掛けて使用したり、卓上に置いて使用することができ、折畳部により折畳可能な構造となっているので、使用者の便宜性が増大し、物流過程で体積を縮小させることができるだけでなく、個別的に購買する必要なしに、１つの製品で壁掛け用及び卓上用２つの方式に使用することができるので、費用を低減する等の有用な効果が得られる。【選択図】図１
2009526674.tif 000002
【特許請求の範囲】
【請求項１】
一端部に少なくとも１つ以上のページ面が連結手段により結合されたプレート形状の本体部と、
前記本体部の他端部に延長され、折畳部により折畳可能に連結され、壁面と結合可能なハンガー手段を有する結合面と、
前記結合面と前記本体部の一部を取り外し可能に付けられた結合手段と、
を備えることを特徴とする、卓上・壁掛け兼用構造体。
【請求項２】
前記連結手段は、前記本体部の一端部の縁と前記ページ面の端部の縁に各々複数個の連結孔が形成され、
前記連結孔の間に嵌められて結合される連結リングを備えることを特徴とする、請求項１に記載の卓上・壁掛け兼用構造体。
【請求項３】
前記ハンガー手段は、前記結合面の外側に延長形成される延長面と、
前記延長面の一部に壁掛け用通孔が形成されることを特徴とする、請求項１に記載の卓上・壁掛け兼用構造体。
【請求項４】
前記ハンガー手段は、
前記結合面の外側に延長形成される延長面と、
前記壁面に一体に付着される固定部材と、
前記延長面の後面部位に一体に結合され、前記固定部材と選択的に着脱可能に結合される結合部材と、
を備えることを特徴とする、請求項１に記載の卓上・壁掛け兼用構造体。
【請求項５】
前記結合部材と前記固定部材は各々面ファスナーであることを特徴とする、請求項４に記載の卓上・壁掛け兼用構造体。
【請求項６】
前記結合部材が磁石部材であり、前記固定部材は金属素材であり、
前記固定部材は、前記結合部材との磁気力により結合されることを特徴とする、請求項４に記載の卓上・壁掛け兼用構造体。
【請求項７】
前記結合面の後面に延長されるように形成され、少なくとも１つ以上の折畳部により折畳可能に形成され、端部が前記結合面の後面に取り外し可能に結合される支持面を更に備えることを特徴とする請求項１に記載の卓上・壁掛け兼用構造体。
【請求項８】
前記結合面に両側部位が後方に捲り動作が可能であるように一端部が切取形成され、他端部が結合面に一体に折畳可能に連結される支持台を更に備えることを特徴とする、請求項１に記載の卓上・壁掛け兼用構造体。
【請求項９】
前記連結手段は、前記ページ面に平面形態の物品の縁が各々嵌められるように刀の鞘形態の嵌め溝が複数個形成されることを特徴とする、請求項１に記載の卓上・壁掛け兼用構造体。
【請求項１０】
前記結合手段は、前記折畳部により折畳された状態で前記連結リングが接触される位置の結合面の前面に磁石素材の結合具が設けられることを特徴とする請求項１乃至９のうち、いずれか１つに記載の卓上・壁掛け兼用構造体。
【請求項１１】
前記結合手段は、前記結合面の一面と本体部の一面に各々対応する位置にテープ部材が設けられて相互脱着可能になることを特徴とする請求項１〜９のうち、いずれか１つに記載の卓上・壁掛け兼用構造体。
【発明の詳細な説明】
【技術分野】
【０００１】
本発明は、卓上・壁掛け兼用構造体に関し、特に使用者の意図によって選択的に卓上に置いたり、または壁に掛けたりすることができるように、その構造が改良された卓上・壁掛け兼用構造体に関する。
【背景技術】
【０００２】
一般に、卓上用カレンダは、テーブルに立てられた状態で上げて置くことができるように、三角形の厚い板紙からなる三角支持台を具備している。また、その三角支持台の一側または他側面に複数枚のカレンダ紙の端部がコイルスプリングにより回転可能に結合されている構造を有する。
【０００３】
このような構造の卓上用カレンダは、郵便などの配送過程で別の包装箱などが要求され、これによって包装箱の体積が大きいことにより配送が容易でない。また、製造コストが増大する問題点があるだけでなく、配送が完了した時点では包装箱としての機能を喪失することになり、捨てられてごみ（産業廃棄物）になる問題点があった。
【０００４】
また、包装箱でない、比較的費用が安いビニール封筒などを利用して配送する場合には、その配送過程で強度が弱いコイルスプリングが揉みくちゃになるなどの製品損傷を受ける場合がある。このような製品損傷により消費者の不満要素なるという問題点があった。
【０００５】
一方、壁掛け用カレンダは、別の支持台の構造を必要としないので、複数個を積層保管できるだけでなく、包装時には別の包装箱などが要求されず、保管時と同一な方法により複数個を積層させてボックスや他の封筒等に入れて運搬することができる長所がある。一方、卓上用カレンダのように置くことができない短所と共に、壁に付着するために壁に突出された釘やスクリューなどの道具を必要とするという短所があった。
【０００６】
また、上記した壁掛け用または卓上用カレンダのうちの１つが使用者に適した形態でない場合、制限された空間において使用できなくなる。さらに、他の形態のカレンダを購買しなければならないため、別途の追加費用が発生することになる。
【発明の開示】
【発明が解決しようとする課題】
【０００７】
そこで、本発明は、上記問題に鑑みてなされたものであり、本発明の目的とするところは、壁掛け用カレンダと卓上用カレンダの長所を兼備するように使用者の選択に従い壁面または卓上に選択的に適用できるようにその構造が改良された卓上・壁掛け兼用構造体を提供することにある。
【課題を解決するための手段】
【０００８】
上記課題を解決するために、本発明のある観点によれば、一端部に少なくとも１つ以上のページ面が連結手段により結合されたプレート形状の本体部と、上記本体部の他端部に延長され、折畳部により折畳可能に連結され、壁面と結合可能にハンガー手段を有する結合面と、上記結合面と本体部の一部を相互選択的に着脱させるための結合手段と、を備える卓上・壁掛け兼用構造体が提供される。
【０００９】
上記連結手段は、上記本体部の一端部の縁とページ面の端部の縁に各々複数個の連結孔が形成され、上記連結孔の間に嵌められて結合される連結リングを備えてもよい。
【００１０】
上記ハンガー手段には、上記結合面の外側に延長形成される延長面と、上記延長面の一部に壁掛け用通孔が形成されてもよい。
【００１１】
上記ハンガー手段は、上記結合面の外側に延長形成される延長面と、上記壁面に一体に付着される固定部材と、上記延長面の後面部位に一体に結合され、上記固定部材と選択的に着脱可能に結合される結合部材と、を備えてもよい。
【００１２】
上記結合部材と固定部材は各々面ファスナー（ベルクロテープ（登録商標））であってもよい。
【００１３】
上記結合部材が磁石部材であり、上記固定部材は金属素材であり、上記固定部材は、上記結合部材との磁気力により結合されるようにしてもよい。
【００１４】
上記結合面の後面に延長されるように形成され、少なくとも１つ以上の折畳部により折畳可能に形成され、端部が上記結合面の後面に着脱可能に結合される支持面を更に備えてもよい。
【００１５】
上記結合面に両側部位が後方に捲り動作が可能であるように一端部が切取形成され、他端部が結合面に一体に折畳可能に連結される支持台を更に備えてもよい。
【００１６】
上記連結手段には、上記ページ面に平面形態の物品の縁が各々嵌められるように刀の鞘形態の嵌め溝が複数個形成されてもよい。
【００１７】
上記結合手段は、上記折畳部により折畳された状態で上記連結リングが接触される位置の結合面の前面に磁石素材の結合具が設けられてもよい。
【００１８】
上記結合手段には、上記結合面の一面と本体部の一面に各々対応する位置にテープ部材が設けられて、相互脱着可能としてもよい。
【発明の効果】
【００１９】
以上説明したように本発明によれば、壁面・卓上に兼用で適用可能であるようにその構造が改良されたものであるところ、使用者の便宜に従い、壁面に掛けて使用したり、卓上に置いて使用することができる。また、折畳部により折畳可能な構造となっているので、使用者の便宜性が増大し、物流過程で体積を縮小させることができる。さらに、個別的に購買する必要なしに１つの製品で壁掛け用及び卓上用の２つの方式で使用することができるので、費用を低減する等の有用な効果が得られる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
（第１実施形態）
本発明に係る卓上・壁掛け兼用構造体の第１実施形態について、図１〜図４を参照して説明する。その構造は、複数のページ面２００が一端部の縁に連結リング１５０により回転可能に連結されるプレート形状の本体部１１０と、その本体部１１０の他端部の縁に少なくとも１つ以上の折畳部１３０が形成されて回転可能に延長形成され、壁面Ｗとの結合のためのハンガー手段が設けられる結合面１２０と、その結合面１２０と本体部１１０を選択的に脱着させて卓上に置くことができるようにする結合手段とならなる。
【００２２】
より詳細に説明すると、そのハンガー手段はその結合面１２０の一部が外側に延長形成される延長面１２５と、その延長面１２５に少なくとも１つ以上の通孔１２５ａが形成される。一般的な方式により通孔１２５ａを利用して壁面に固定されて突出された釘やスクリューなどのハンガー部材６１０に掛けて固定することができる。
【００２３】
好ましくは、その延長面１２５は結合面１２０の端部の縁に回転可能に折畳されるように延長形成される。延長面１２５の表面に広告物を別途に付着したり印刷したりすることができる。
【００２４】
結合手段は金属素材の連結リング１５０からなる。結合面１２０の全面の一部に磁石素材の結合具３１０が少なくとも１つ以上設けられている。金属素材の連結リング１５０が磁石の磁気力により磁石素材の結合具３１０とくっつくことができる。
【００２５】
折畳部１３０は、本体部１１０と結合面１２０との間に設けられている。本体部１１０と結合面１２０とが折れて回転可能であるように横方向に形成されている。折畳部１３０は、複数個が互いに離隔するように形成されて、卓上用に使われる時、底面として機能する。
【００２６】
すなわち、折畳部１３０により結合面１２０と本体部１１０が傾斜するように支持され、結合手段により相互着脱可能に結合される。これにより、側面から見て、三角形断面構造が形成される。
【００２７】
図５は、本発明のハンガー手段の他の例を示すものである。上記したハンガー部材と通孔１２５ａの代りに延長面１２５の後面と壁面に各々面ファスナー１２５ｂが設けられて、壁面との着脱が可能となっている。
【００２８】
すなわち、壁面との結合のためのハンガー手段が壁面の一側に面ファスナー（図示せず）が一体に付着され、その面ファスナーと対応する他の面ファスナー１２５ｂが延長面１２５または結合面１２０の後面に一体に付着されて相互着脱可能に結合される構造となっている。
【００２９】
図６は、本発明のハンガー手段の更に他の例を示すものである。そのハンガー手段は、壁面に金属素材からなる固定部材４００が一体に付着され、固定部材４００と磁気力により結合可能な磁石からなる結合部材１２５ｃが結合面１２０または延長面１２５の後面に一体に付着されたものである。
【００３０】
ここで、固定部材４００は金属素材でない結合部材１２５ｃと同一な磁石部材を採用してもよい。
【００３１】
このような構成を有する本発明は、使用者の意図に従い卓上用または壁掛け用に使用することができる。壁掛け用に使用する場合には、ハンガー手段を利用して壁体に固定させた後、折畳部１３０を基準として連結リング１５０により連結されたページ面２００が結合面１２０と密着するように回転する。そして、その回転されたページ面２００が連結リング１５０と結合具により結合面１２０に密着された状態を維持しながら壁面に掛かることになる。
【００３２】
この場合、金属素材の連結リング１５０は磁石の結合具３１０にくっつくことになり、結合面１２０と本体部１１０とが近接するように密着される状態を維持する。
【００３３】
また、ページ面２００は連結リング１５０と結合具３１０により密着したり、あるいは折畳部１３０が折畳されていない広げられた状態の通り壁面に密着したりして使用することもできる。
【００３４】
一方、卓上用に使われる場合には、上述した通り、折畳部１３０を基準に結合面１２０と本体部１１０が側面から見て、三角形断面構造を有するように傾斜するように支持される。そして、連結リング１５０が結合面１２０の結合具３１０により磁気力により結合されて一体化し、これによって、折畳部１３０が卓上等の底面と面接触して卓上に置かれる。
【００３５】
（第２実施形態）
図７は、本発明の第２実施形態を示すものである。その構造は、複数のページ面２００が結合された本体部１１０と、本体部１１０に折畳可能に連結された結合面１２０と、本体部１１０と結合面１２０を選択的に結合させる結合手段等の構成は第１実施形態と同一である。しかし、結合面１２０に別の支持台がさらに設けられ、その支持台の構成はその結合面１２０の中央に両側に互いに離隔した支持部１２６ａ、１２６ｂが折畳可能に一部位が各々切取されるように形成され、両側支持部１２６ａ、１２６ｂの中間部位に折畳可能に設けられて、両側支持部１２６ａ、１２６ｂと互いに干渉される固定部１２６ｃから構成されている。
【００３６】
すなわち、支え台は両側の支持部１２６ａ、１２６ｂが後方に捲られるように一部が切取形成され、固定部１２６ｃは両側支持部１２６ａ、１２６ｂの捲り動作後、後方に回転するように折畳されるように形成され、両端部が捲られた両側支持部１２６ａ、１２６ｂと干渉されて支持する機能を有する。
【００３７】
未説明符号１４０は、本体部１１０と結合面１２０との間に連結される連結面を示すものであって、これはページ面２００が本体部１１０の後面に捲った時の空間を形成するためのものである。
【００３８】
図８は、本発明の第２実施形態の他の例を示すものであって、支え台が結合面１２０の端部の縁から折畳可能に延長されて底面の機能を有するように複数回折畳形成される支持面１２７を具備して構成されたものである。
【００３９】
より詳細に説明すると、支持面１２７は上述した第１実施形態での折畳部１３０と類似の構造を有している。しかしながら、支持面１２７は、結合面１２０と本体部１１０との間に位置するものでなく、結合面１２０の端部縁から延長されて卓上等の底面と面接触されるように複数回折畳される構造からなるものである。
【００４０】
したがって、支持面１２７が形成されている時は、上述した第１実施形態の折畳部１３０が省略可能である。
【００４１】
また、壁体との結合のための延長面１２５は、結合面１２０の端部から捲られるように切取形成された構造を有する。
【００４２】
そして、支持面１２７の端部は折畳された状態で結合面１２０の後面の下部にテープ部材または接着剤３５０を利用して接着したり、磁石または面ファスナーなどを利用したりして着脱可能に結合される。また、図９のように、支持面１２７の端部に嵌め片１２７ａが突出するように形成され、その結合面１２０に嵌め片１２７ａが挿入されて結合可能であるように刀の鞘形態の結合溝１２０ａを形成することもできる。
【００４３】
本発明の支え台はその他にも、図１０のように、結合面１２０の後面に別の支持台機能を有するスタンド５００を接着剤により接着したり、テープ部材により付着したりする構造を採用することもできる。
【００４４】
（第３実施形態）
図１１及び図１２は、本発明の第３実施形態を示すものである。本実施形態は、支持台７００が結合面１２０の機能を有するように設けられて結合面が省略されたものである。上述した形態の支持部と固定部が上述した支持面１２７の方式のように、一体に延長された構造で形成されたものである。その構造は本体部１１０の端部の縁の中央に延長されるように連結され、両側に羽根形態の支持翼７１０ａ、７１０ｂが折畳可能に形成され、その中央の内部に固定面７２０が回転可能に折畳されて両側支持翼７１０ａ、７１０ｂの捲り動作を支持する構造からなる。
【００４５】
また、本体部１１０の端部の縁と離隔するように、連結部７５０が一体に延長形成されている。これは本体部１１０と支持翼７１０ａ、７１０ｂとの間の間隔を離隔させて卓上用に使われる場合、底面と面接触される支え面の機能を有するようにするためのものである。
【００４６】
そして、本体部１１０と支持台７００の面と面が相互着脱可能に対応する位置に着脱部材３２０、３３０が各々設けられ、着脱部材３２０、３３０は磁気力を有する磁石を採用することが好ましい。
【００４７】
（第４実施形態）
図１３は本発明第４実施形態を示すものであって、ページ面２００の各隅部位と近接した部位にそれぞれの嵌め溝２１０が形成され、その嵌め溝２１０に平面形態の物品Ｇの隅部位が各々挿入されて支持される構造からなる。
【００４８】
すなわち、ページ面２００の隅部位に刀の鞘形態の嵌め溝２１０が各々形成され、その嵌め溝２１０にリフィル可能なメモ紙、カレンダ紙、写真等の平面形態を有する物品Ｇの隅部位が嵌められる結合構造からなる。
【００４９】
ここで、本発明はページ面２００に嵌め溝２１０が形成されたものと表現されているが、本体部１１０に嵌め溝が形成されることもでき、その場合にはページ面が省略可能である。
【００５０】
上述したように、本発明のページ面２００は紙材のみならず、多様な素材中の１つが採択されることができ、その例としては、日付が印刷されたカレンダ紙、または、複数個のメモ紙が連結リング１５０により連結されたり、あるいは接着式ページ面２００を利用して一枚ずつ使用することもできる。
【００５１】
また、ページ面２００は、メモ紙、写真や絵などを収納できる画帳形態のアルバム紙が使われてもよい。
【００５２】
以上説明したように本発明によれば、壁面・卓上に兼用で適用可能であるようにその構造が改良されたものであるところ、使用者の便宜に従い、壁面に掛けて使用したり、卓上に置いて使用することができる。また、折畳部により折畳可能な構造となっているので、使用者の便宜性が増大し、物流過程で体積を縮小させることができる。さらに、個別的に購買する必要なしに１つの製品で壁掛け用及び卓上用の２つの方式で使用することができるので、費用を低減する等の有用な効果が得られる。
【００５３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００５４】
【図１】本発明の第１の実施形態にかかる卓上・壁掛け兼用構造体を示す斜視図である。
【図２】同実施形態にかかる卓上・壁掛け兼用構造体の結合状態を示す斜視図である。
【図３】同実施形態にかかる卓上・壁掛け兼用構造体が壁掛け用に使われる状態を示す使用状態図である。
【図４】同実施形態にかかる卓上・壁掛け兼用構造体が卓上用に使われる状態を示す使用状態図である。
【図５】同実施形態にかかるハンガー手段の他の例を示す斜視図である。
【図６】同実施形態にかかるハンガー手段の更に他の例を示す斜視図である。
【図７】本発明の第２の実施形態にかかる卓上・壁掛け兼用構造体を示す斜視図である。
【図８】同実施形態にかかる卓上・壁掛け兼用構造体の他の例を示す斜視図である。
【図９】同実施形態にかかる卓上・壁掛け兼用構造体の更に他の例を示す斜視図である。
【図１０】同実施形態にかかる卓上・壁掛け兼用構造体の支え台が別に結合面に付着された状態を示す斜視図である。
【図１１】本発明の第３の実施形態にかかる卓上・壁掛け兼用構造体を示す斜視図である。
【図１２】同実施形態にかかる卓上・壁掛け兼用構造体の結合状態を示す斜視図である。
【図１３】本発明の第４の実施形態にかかる卓上・壁掛け兼用構造体を示す斜視図である。
【符号の説明】
【００５５】
１１０    本体部
１２０    結合面
１２５    通孔
１２５ａ  通孔
１２５ｂ    面ファスナー
１２５ｃ    結合部材
１２６ａ、１２６ｂ    （両側）支持部
１２６ｃ    固定部
１２７    支持面
１３０    折畳部
１５０    連結リング
２００    ページ面
２１０    嵌め溝
３１０    結合具
４００    固定部材
５００    スタンド
６１０    ハンガー部材
７００    支持台
７１０ａ、７１０ｂ    支持部
７２０    固定部
７５０    連結部
Ｇ    物品
【図１】
2009526674.tif 000003
【図２】
2009526674.tif 000004
【図３】
2009526674.tif 000005
【図４】
2009526674.tif 000006
【図５】
2009526674.tif 000007
【図６】
2009526674.tif 000008
【図７】
2009526674.tif 000009
【図８】
2009526674.tif 000010
【図９】
2009526674.tif 000011
【図１０】
2009526674.tif 000012
【図１１】
2009526674.tif 000013
【図１２】
2009526674.tif 000014
【図１３】
2009526674.tif 000015
【国際調査報告】
2009526674.tif 000016
2009526674.tif 000017